【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
第１のピクチャの１つまたは複数の参照ピクチャの参照ステータス情報を記憶することと、前記参照ステータス情報が、前記第１のピクチャが復号されるインスタンスにおける、前記１つまたは複数の参照ピクチャの参照ステータスを示す、
前記記憶された参照ステータス情報を、前記第１のピクチャが復号された前記インスタンスに関連付けることと、
前記第１のピクチャの前記１つまたは複数の参照ピクチャの、前記第１のピクチャが復号された前記インスタンスに関連する、前記記憶された参照ステータス情報に基づいて、第２の異なるピクチャ内のビデオブロックを復号することと、
を備える、方法。
【請求項２】
前記第１のピクチャ内のビデオブロックと、前記第１のピクチャ内の前記ビデオブロックの動きベクトルとを判断することと、ここにおいて、前記第１のピクチャ内の前記ビデオブロックの前記動きベクトルが、前記第１のピクチャ内の前記ビデオブロックに対する前記動きベクトルの参照インデックスに基づいて、前記第１のピクチャの前記１つまたは複数の参照ピクチャからの１つの参照ピクチャを指す、
前記第２のピクチャ内の前記ビデオブロックに対する動きベクトルが、前記第１のピクチャ内の前記ビデオブロックの前記動きベクトルから導出されるべきであるかどうかを判断することと、
前記第２のピクチャ内の前記ビデオブロックに対する前記動きベクトルが、前記第１のピクチャ内の前記ビデオブロックの前記動きベクトルから導出されるべきであるとき、前記第１のピクチャが復号された前記インスタンスに関連する前記記憶された参照ステータス情報に基づいて、前記第１のピクチャが復号された前記インスタンスにおける前記参照ピクチャの参照ステータスを判断することと、
をさらに備え、
前記第２のピクチャ内の前記ビデオブロックを復号することが、前記参照ステータスに基づいて前記第２のピクチャ内の前記ビデオブロックを復号することを備える、請求項１に記載の方法。
【請求項３】
前記第１のピクチャに対して少なくとも１つの参照ピクチャリストを構築することをさらに備え、ここにおいて、前記少なくとも１つの参照ピクチャリストが、前記第１のピクチャの前記１つまたは複数の参照ピクチャのうちの少なくとも１つを識別し、
前記参照ステータス情報を記憶することが、前記少なくとも１つの参照ピクチャリスト内で識別された前記第１のピクチャの前記１つまたは複数の参照ピクチャのうちの前記少なくとも１つに対する参照ステータス情報を記憶することを備える、請求項１に記載の方法。
【請求項４】
前記第１のピクチャに対して少なくとも１つの参照ピクチャリストを構築することをさらに備え、ここにおいて、前記少なくとも１つの参照ピクチャリストが、前記第１のピクチャの前記１つまたは複数の参照ピクチャを識別し、
前記参照ステータス情報を記憶することが、前記少なくとも１つの参照ピクチャリスト内で識別された前記第１のピクチャの前記１つまたは複数の参照ピクチャのすべてに対する参照ステータス情報を記憶することを備える、請求項１に記載の方法。
【請求項５】
前記参照ステータス情報を記憶することが、前記参照ピクチャが長期参照に使用されるとして指定されるかまたは長期参照に使用されるとして指定されないかを示す前記第１のピクチャの前記１つまたは複数の参照ピクチャのうちの１つの参照ピクチャに対する値を記憶することを備える、請求項１に記載の方法。
【請求項６】
前記参照ステータス情報を記憶することが、前記参照ピクチャのピクチャ順序カウント（ＰＯＣ）値が前記第１のピクチャのＰＯＣ値と同じＰＯＣ値であるかまたは前記参照ピクチャの前記ＰＯＣ値が前記第１のピクチャの前記ＰＯＣ値と異なるかを示す前記第１のピクチャの前記１つまたは複数の参照ピクチャのうちの１つの参照ピクチャに対する値を記憶することを備える、請求項１に記載の方法。
【請求項７】
前記第１のピクチャが復号された前記インスタンスにおける前記１つまたは複数の参照ピクチャのうちの１つの参照ピクチャの参照ステータスが、前記第２のピクチャが復号されるインスタンスにおける前記参照ピクチャの参照ステータスとは異なる、請求項１に記載の方法。
【請求項８】
前記第１のピクチャのビデオブロックの動きベクトルが、前記第２のピクチャを復号するときの前記第１のピクチャの前記参照ステータスが前記第１のピクチャが復号された前記インスタンスに関連する前記参照ピクチャの前記記憶された参照ステータスとは異なる場合、前記第２のピクチャの前記ビデオブロックの動きベクトルを予測するために使用されない、請求項１に記載の方法。
【請求項９】
前記第１のピクチャの前記ビデオブロックの前記動きベクトルが前記第２のピクチャの前記ビデオブロックの前記動きベクトルを予測するために使用されないことが、前記第２のピクチャの前記ビデオブロックの前記動きベクトルの予測のために拡張型動きベクトル予測（ＡＭＶＰ）候補リストまたはマージ候補リスト内の候補として、前記第１のピクチャの前記ビデオブロックの前記動きベクトルを追加しないことを備える、請求項８に記載の方法。
【請求項１０】
ビデオデータを復号するための装置であって、
メモリデバイスと、
ビデオデコーダと、を備え、前記ビデオデコーダは、
前記メモリデバイスに、第１のピクチャの１つまたは複数の参照ピクチャの参照ステータス情報を記憶することと、前記参照ステータス情報が、前記第１のピクチャが復号されるインスタンスにおける前記１つまたは複数の参照ピクチャの参照ステータスを示す、
前記記憶された参照ステータス情報を、前記第１のピクチャが復号された前記インスタンスに関連付けることと、
前記第１のピクチャの前記１つまたは複数の参照ピクチャの、前記第１のピクチャが復号された前記インスタンスに関連する、前記記憶された参照ステータス情報に基づいて、第２の異なるピクチャ内のビデオブロックを復号することと、
を行うように構成される、装置。
【請求項１１】
前記ビデオデコーダが、
前記第１のピクチャ内のビデオブロックと、前記第１のピクチャ内の前記ビデオブロックの動きベクトルとを判断することと、ここにおいて、前記第１のピクチャ内の前記ビデオブロックの前記動きベクトルが、前記第１のピクチャ内の前記ビデオブロックに対する前記動きベクトルの参照インデックスに基づいて、前記第１のピクチャの前記１つまたは複数の参照ピクチャからの１つの参照ピクチャを指す、
前記第２のピクチャ内の前記ビデオブロックに対する動きベクトルが、前記第１のピクチャ内の前記ビデオブロックの前記動きベクトルから導出されるべきかどうかを判断することと、
前記第２のピクチャ内の前記ビデオブロックに対する前記動きベクトルが、前記第１のピクチャ内の前記ビデオブロックの前記動きベクトルから導出されるべきであるとき、前記第１のピクチャが復号された前記インスタンスに関連する前記記憶された参照ステータス情報に基づいて、前記第１のピクチャが復号された前記インスタンスにおける前記参照ピクチャの参照ステータスを判断することと、
を行うように構成され、
前記第２のピクチャ内の前記ビデオブロックを復号するために、前記ビデオデコーダが、前記参照ステータスに基づいて前記第２のピクチャ内の前記ビデオブロックを復号するように構成される、請求項１０に記載の装置。
【請求項１２】
前記ビデオデコーダが、
前記第１のピクチャに対して少なくとも１つの参照ピクチャリストを構築するように構成され、ここにおいて、前記少なくとも１つの参照ピクチャリストが、前記第１のピクチャの前記１つまたは複数の参照ピクチャのうちの少なくとも１つを識別し、
前記参照ステータス情報を記憶するために、前記ビデオデコーダが、前記少なくとも１つの参照ピクチャリスト内で識別された前記第１のピクチャの前記１つまたは複数の参照ピクチャのうちの前記少なくとも１つに対する参照ステータス情報を記憶するように構成される、請求項１０に記載の装置。
【請求項１３】
前記ビデオデコーダが、
前記第１のピクチャに対して少なくとも１つの参照ピクチャリストを構築するように構成され、ここにおいて、前記少なくとも１つの参照ピクチャリストが、前記第１のピクチャの前記１つまたは複数の参照ピクチャを識別し、
前記参照ステータス情報を記憶するために、前記ビデオデコーダが、前記少なくとも１つの参照ピクチャリスト内で識別された前記第１のピクチャの前記１つまたは複数の参照ピクチャのすべてに対する参照ステータス情報を記憶するように構成される、請求項１０に記載の装置。
【請求項１４】
前記参照ステータス情報を記憶するために、前記ビデオデコーダが、前記参照ピクチャが長期参照に使用されるとして指定されるかまたは長期参照に使用されるとして指定されないかを示す前記第１のピクチャの前記１つまたは複数の参照ピクチャのうちの１つの参照ピクチャに対する値を記憶するように構成される、請求項１０に記載の装置。
【請求項１５】
前記参照ステータス情報を記憶するために、前記ビデオデコーダが、前記参照ピクチャのピクチャ順序カウント（ＰＯＣ）値が前記第１のピクチャのＰＯＣ値と同じＰＯＣ値であるかまたは前記参照ピクチャの前記ＰＯＣ値が前記第１のピクチャの前記ＰＯＣ値と異なるかを示す前記第１のピクチャの前記１つまたは複数の参照ピクチャのうちの１つの参照ピクチャに対する値を記憶するように構成される、請求項１０に記載の装置。
【請求項１６】
前記第１のピクチャが復号された前記インスタンスにおける前記１つまたは複数の参照ピクチャのうちの１つの参照ピクチャの参照ステータスが、前記第２のピクチャが復号されるインスタンスにおける前記参照ピクチャの参照ステータスとは異なる、請求項１０に記載の装置。
【請求項１７】
前記第１のピクチャのビデオブロックの動きベクトルが、前記第２のピクチャを復号するときの前記第１のピクチャの前記参照ステータスが前記第１のピクチャが復号された前記インスタンスに関連する前記参照ピクチャの前記記憶された参照ステータスとは異なる場合、前記第２のピクチャの前記ビデオブロックの動きベクトルを予測するために使用されない、請求項１０に記載の装置。
【請求項１８】
前記第１のピクチャの前記ビデオブロックの前記動きベクトルが、前記第２のピクチャの前記ビデオブロックの前記動きベクトルを予測するために使用されないことが、前記ビデオデコーダが、前記第２のピクチャの前記ビデオブロックの前記動きベクトルの予測のために、拡張型動きベクトル予測（ＡＭＶＰ）候補リストまたはマージ候補リスト内の候補として、前記第１のピクチャの前記ビデオブロックの前記動きベクトルを追加しないことを備える、請求項１７に記載の装置。
【請求項１９】
前記装置が、
ワイヤレス通信デバイスと、
マイクロプロセッサと、  集積回路と、
前記第１および第２のピクチャを表示するように構成されたディスプレイと、
前記第１および第２のピクチャをキャプチャするように構成されたカメラとのうちの少なくとも１つを備える、請求項１０に記載の装置。
【請求項２０】
ビデオデータを復号するための装置であって、
第１のピクチャの１つまたは複数の参照ピクチャの参照ステータス情報を記憶するための手段と、前記参照ステータス情報が、前記第１のピクチャが復号されるインスタンスにおける前記１つまたは複数の参照ピクチャの参照ステータス情報を示す、
前記記憶された参照ステータス情報を、前記第１のピクチャが復号された前記インスタンスに関連付けるための手段と、
前記第１のピクチャの前記１つまたは複数の参照ピクチャの、前記第１のピクチャが復号された前記インスタンスに関連する、前記記憶された参照ステータス情報に基づいて、第２の異なるピクチャ内のビデオブロックを復号するための手段と、
を備える、装置。
【請求項２１】
前記第１のピクチャ内のビデオブロックと、前記第１のピクチャ内の前記ビデオブロックの動きベクトルとを判断するための手段と、ここにおいて、前記第１のピクチャ内の前記ビデオブロックの前記動きベクトルが、前記第１のピクチャ内の前記ビデオブロックに対する前記動きベクトルの参照インデックスに基づいて、前記第１のピクチャの前記１つまたは複数の参照ピクチャからの１つの参照ピクチャを指す、
前記第２のピクチャ内の前記ビデオブロックに対する動きベクトルが、前記第１のピクチャ内の前記ビデオブロックの前記動きベクトルから導出されるべきであるかどうかを判断するための手段と、
前記第２のピクチャ内の前記ビデオブロックに対する前記動きベクトルが、前記第１のピクチャ内の前記ビデオブロックの前記動きベクトルから導出されるべきであるとき、前記第１のピクチャが復号された前記インスタンスに関連する前記記憶された参照ステータス情報に基づいて、前記第１のピクチャが復号された前記インスタンスにおける前記参照ピクチャの参照ステータスを判断するための手段と、
をさらに備え、
前記第２のピクチャ内の前記ビデオブロックを復号するための手段が、前記参照ステータスに基づいて前記第２のピクチャ内の前記ビデオブロックを復号するための手段を備える、請求項２０に記載の装置。
【請求項２２】
命令を記憶された非一時的コンピュータ可読記憶媒体であって、前記命令が、実行されると１つまたは複数のプロセッサに、
第１のピクチャの１つまたは複数の参照ピクチャの参照ステータス情報を記憶することと、前記参照ステータス情報が、前記第１のピクチャが復号されるインスタンスにおける前記１つまたは複数の参照ピクチャの参照ステータスを示す、
前記記憶された参照ステータス情報を、前記第１のピクチャが復号された前記インスタンスに関連付けることと、
前記第１のピクチャの前記１つまたは複数の参照ピクチャの、前記第１のピクチャが復号された前記インスタンスに関連する、前記記憶された参照ステータス情報に基づいて、第２の異なるピクチャ内のビデオブロックを復号することと、
を行わせる、非一時的コンピュータ可読記憶媒体。
【請求項２３】
前記１つまたは複数のプロセッサに、
前記第１のピクチャ内のビデオブロックと、前記第１のピクチャ内の前記ビデオブロックの動きベクトルとを判断することと、ここにおいて、前記第１のピクチャ内の前記ビデオブロックの前記動きベクトルが、前記第１のピクチャ内の前記ビデオブロックに対する前記動きベクトルの参照インデックスに基づいて、前記第１のピクチャの前記１つまたは複数の参照ピクチャからの１つの参照ピクチャを指す、
前記第２のピクチャ内の前記ビデオブロックに対する動きベクトルが、前記第１のピクチャ内の前記ビデオブロックの前記動きベクトルから導出されるべきであるかどうかを判断することと、
前記第２のピクチャ内の前記ビデオブロックに対する前記動きベクトルが、前記第１のピクチャ内の前記ビデオブロックの前記動きベクトルから導出されるべきであるとき、前記第１のピクチャが復号された前記インスタンスに関連する前記記憶された参照ステータス情報に基づいて、前記第１のピクチャが復号された前記インスタンスにおける前記参照ピクチャの参照ステータスを判断することと、
を行わせる命令をさらに備え、
前記１つまたは複数のプロセッサに前記第２のピクチャ内の前記ビデオブロックを復号させる前記命令が、前記１つまたは複数のプロセッサに、前記参照ステータスに基づいて前記第２のピクチャ内の前記ビデオブロックを復号させる命令を備える、請求項２２に記載の非一時的コンピュータ可読記憶媒体。
【請求項２４】
ビデオデータを符号化するための方法であって、
第１のピクチャの１つまたは複数の参照ピクチャの参照ステータス情報を記憶することと、前記参照ステータス情報が、前記第１のピクチャが符号化されるインスタンスにおける、前記１つまたは複数の参照ピクチャの参照ステータスを示す、
前記記憶された参照ステータス情報を、前記第１のピクチャが符号化された前記インスタンスに関連付けることと、
前記第１のピクチャの前記１つまたは複数の参照ピクチャの、前記第１のピクチャが符号化された前記インスタンスに関連する、前記記憶された参照ステータス情報に基づいて、第２の異なるピクチャ内のビデオブロックを符号化することと、
を備える、方法。
【請求項２５】
ビデオデータを符号化するための装置であって、
メモリデバイスと、
ビデオエンコーダと、を備え、前記ビデオエンコーダは、
前記メモリデバイスに、第１のピクチャの１つまたは複数の参照ピクチャの参照ステータス情報を記憶することと、前記参照ステータス情報が、前記第１のピクチャが符号化されるインスタンスにおける前記１つまたは複数の参照ピクチャの参照ステータスを示す、
前記記憶された参照ステータス情報を、前記第１のピクチャが符号化された前記インスタンスに関連付けることと、
前記第１のピクチャの前記１つまたは複数の参照ピクチャの、前記第１のピクチャが符号化された前記インスタンスに関連する、前記記憶された参照ステータス情報に基づいて、第２の異なるピクチャ内のビデオブロックを符号化することと、
を行うように構成される、装置。